(57)【要約】【課題】  ネイルケアの施術中にネイルチップが剥がれにくく、かつ、施術後はネイルチップを剥がしやすく、検定試験においても使用可能な、ネイル実技用模擬セット及び模擬ハンドと、このセットを用いたネイルケアの実技方法を提供する。【解決手段】  ネイル実技用セットは、人の手の指を模した少なくとも１本の模擬指を有する模擬ハンドと、人の手の爪を模して模擬指に装着されるネイルチップと、を備え、模擬指の先端部には、ネイルチップが装着される爪床部と、爪床部の基端部に形成されてネイルチップの爪根部が基端方向に嵌入される爪根嵌入部と、爪床部に形成されて模擬指の厚み方向に窪んだ凹部と、が設けられ、ネイルチップには、爪床部と対向する裏面において爪床部への装着時に凹部と対向する位置に、凹部側へ突出する凸部が設けられている。【選択図】  図３
2019216938.tif 000002
【特許請求の範囲】
【請求項１】
人の手の指を模した少なくとも１本の模擬指を有する模擬ハンドと、
人の手の爪を模しており前記模擬指に装着されるネイルチップと、を備え、
前記模擬指の先端部には、前記ネイルチップが装着される爪床部と、前記爪床部の基端部に形成されて前記ネイルチップの爪根部が基端方向に嵌入される爪根嵌入部と、前記爪床部に形成されて前記模擬指の厚み方向に窪むと共にアンダーカット形状を有する凹部と、が設けられ、
前記ネイルチップには、前記爪床部と対向する裏面において前記爪床部への装着時に前記凹部と対向する位置に、前記凹部側へ突出して前記凹部と整合する形状を有する凸部が設けられている、
ネイル実技用模擬セット。
【請求項２】
前記凹部は、前記爪床部の幅方向の中央部分に位置すると共に、前記模擬指の長手方向に沿って長寸形状を成しており、
前記凸部は、前記ネイルチップの裏面において前記凹部に対応する位置にあると共に、前記凹部に沿うよう長寸形状を成している、
請求項１に記載のネイル実技用模擬セット。
【請求項３】
前記凹部は、前記模擬指の長手方向に直交する方向の断面に、前記アンダーカット形状を有している、
請求項２に記載のネイル実技用模擬セット。
【請求項４】
前記模擬ハンドは、人の手の甲を模した模擬甲を更に有し、かつ、前記模擬指を人の五指のそれぞれに対応して５本有している、
請求項１〜３の何れかに記載のネイル実技用模擬セット。
【請求項５】
人の手の指を模した複数本の模擬指を備え、前記模擬指の先端部に、裏面に凸部を有するネイルチップが装着される模擬ハンドであって、
前記模擬指の先端部には、
前記ネイルチップが装着される爪床部と、
前記爪床部の基端部に形成されて前記ネイルチップの爪根部が基端方向に嵌入される爪根嵌入部と、前記爪床部における前記ネイルチップの前記凸部に対向する位置にて前記模擬指の厚み方向に窪むと共にアンダーカット形状を有する凹部と、が形成されている、
模擬ハンド。
【請求項６】
前記凹部は、前記爪床部の幅方向の中央部分に位置すると共に、前記模擬指の長手方向に沿って長寸形状を成している、
請求項５に記載の模擬ハンド。
【請求項７】
前記凹部は、前記模擬指の長手方向に直交する方向の断面に、前記アンダーカット形状を有している、
請求項６に記載の模擬ハンド。
【請求項８】
人の手の指を模した模擬指を有し、前記模擬指の先端部に、ネイルチップが装着される爪床部と、前記爪床部に形成されて前記模擬指の厚み方向に窪むと共にアンダーカット形状を有する凹部と、が設けられた模擬ハンドにおける、前記爪床部に装着される人の手の爪を模したネイルチップであって、
前記模擬指の前記爪床部と対向する裏面において、前記爪床部への装着時に前記凹部と対向する位置に、前記凹部側へ突出して前記凹部と整合する形状を有する凸部が設けられている、
ネイルチップ。
【請求項９】
基端部分の表面に、ゴム系材料を含む第１層と、樹脂製シートから成る第２層と、ゴム系材料を含む第３層とがこの順で積層された模擬ルースキューティクルが設けられている、
請求項８に記載のネイルチップ。
【請求項１０】
請求項１〜４の何れかに記載のネイル実技用模擬セットを使用した、ネイルケアの実技方法であって、
前記ネイルチップの表面の基端部分に、液状の樹脂を塗布するか、あるいは、樹脂製シートを貼付して、模擬的なルースキューティクルを再現する工程と、
前記ネイルチップの爪根部を前記爪根嵌入部に嵌入した後、前記ネイルチップの前記凸部と前記爪床部の前記凹部とを係合させて、前記ネイルチップを前記爪床部に装着する工程と、
前記模擬指の前記爪床部に装着された前記ネイルチップに対し、該ネイルチップ上の模擬的なルースキューティクルを除去する工程と、を含む、
ネイルケアの実技方法。
【請求項１１】
前記模擬的なルースキューティクルを再現する工程は、
前記ネイルチップの表面の基端部分に液状の樹脂を塗布し、乾燥させることによって第１層を形成する工程と、
前記第１層の上に、前記ネイルチップの基端部分に対応する輪郭形状を有する樹脂製シートを貼付して第２層を形成する工程と、
前記第２層の上に液状の樹脂を塗布し、乾燥させることによって第３層を形成する工程と、を含んでいる、
請求項１０に記載のネイルケアの実技方法。
【発明の詳細な説明】
【技術分野】
【０００１】
本発明は、例えばネイリスト検定の実技試験又はその練習において使用できるネイル実技用模擬セット、模擬ハンド、ネイルチップ、及びネイルケアの実技方法に関する。
【背景技術】
【０００２】
従来、他人の爪をケアしたり装飾（ネイルアート）を施したり、といったことがネイリストによって行われている。このネイリストの育成のために、公益財団法人日本ネイリスト検定試験センターよって１〜３級（１級が最上級）の検定試験が実施されている。そして、ネイリストを目指す者や、更に上級の資格を得ようとする者の中には、専門学校に通ってネイルケアの実技等を学ぶ者もいる。
【０００３】
ここで、ネイルケアの実技の練習を行うにあたり、実際の人（モデル）を用意するとなると、練習に適した爪を有するモデルを探す必要があったり、そのモデルに交通費や報酬などを支払う必要があったりして、施術者にとって負担が少なくない。また、モデルの人にとっても、長時間の練習に拘束されたり、何度もモデルをすることで爪への負担が大きくなったりする。
【０００４】
そのため、より簡便にネイルケアの練習を行えるよう、ハンド型の模型が提案されている（特許文献１参照）。
【先行技術文献】
【特許文献】
【０００５】
【特許文献１】国際公開第２０１４／０６１６８０号明細書
【発明の概要】
【発明が解決しようとする課題】
【０００６】
しかし、特許文献１に記載のハンドの場合、ケアの練習中（例えば、ファイリング中）にネイルチップがハンドから剥がれてしまいやすい。これに対し、ネイルチップが容易に剥がれないよう、接着剤によって強固に接続してしまうと、練習後にネイルチップを剥がしにくくなってしまう。そのため、従来のハンドは、練習用としても十分ではなく、従って検定試験の実技での使用にも耐えられるものではない。
【０００７】
そこで本発明は、ネイルケアの施術中にはネイルチップが剥がれにくく、かつ、施術後にはネイルチップを剥がしやすい、ネイル実技用模擬セット、模擬ハンド、及びネイルチップと、このセットを用いたネイルケアの実技方法を提供することを目的とする。
【課題を解決するための手段】
【０００８】
本発明に係るネイル実技用模擬セットは、人の手の指を模した少なくとも１本の模擬指を有する模擬ハンドと、人の手の爪を模しており前記模擬指に装着されるネイルチップと、を備え、前記模擬指の先端部には、前記ネイルチップが装着される爪床部と、前記爪床部の基端部に形成されて前記ネイルチップの爪根部が基端方向に嵌入される爪根嵌入部と、前記爪床部に形成されて前記模擬指の厚み方向に窪むと共にアンダーカット形状を有する凹部と、が設けられ、前記ネイルチップには、前記爪床部と対向する裏面において前記爪床部への装着時に前記凹部と対向する位置に、前記凹部側へ突出して前記凹部と整合する形状を有する凸部が設けられている。
【０００９】
このような構成により、模擬指の爪根嵌入部とネイルチップの爪根との係合、並びに、模擬指の凹部とネイルチップの凸部との係合が生じるため、模擬指の爪床部に対してネイルチップが安定的に装着される。従って、ネイルケアの施術中にはネイルチップが剥がれにくく、かつ、施術後にはネイルチップを剥がしやすい、ネイル実技用セットを実現することができる。
【００１０】
また、上記ネイル実技用模擬セットにおいて、前記凹部は、前記爪床部の幅方向の中央部分に位置すると共に、前記模擬指の長手方向に沿って長寸形状を成しており、前記凸部は、前記ネイルチップの裏面において前記凹部に対応する位置にあると共に、前記凹部に沿うよう長寸形状を成していてもよい。
【００１１】
このような構成により、例えばネイルチップの先端縁の左右部分などをファイリングして、ネイルチップに押圧力が作用した場合にも、ネイルチップが模擬指の爪床部から剥がれるのを効果的に抑制することができる。
【００１２】
また、上記ネイル実技用模擬セットにおいて、前記凹部は、前記模擬指の長手方向に直交する方向の断面に、前記アンダーカット形状を有していてもよい。
【００１３】
このような構成により、ファイリング時などのネイルチップの剥がれを、より効果的に抑制することができる。
【００１４】
また、上記ネイル実技用模擬セットにおいて、前記模擬ハンドは、人の手の甲を模した模擬甲を更に有し、かつ、前記模擬指を人の五指のそれぞれに対応して５本有していてもよい。
【００１５】
このような構成により、ネイリスト検定試験の実技の場をリアルに再現することができるので、制限時間を設定した練習なども行うことができる。
【００１６】
本発明に係る模擬ハンドは、人の手の指を模した複数本の模擬指を備え、前記模擬指の先端部に、裏面に凸部を有するネイルチップが装着される模擬ハンドであって、前記模擬指の先端部には、前記ネイルチップが装着される爪床部と、前記爪床部の基端部に形成されて前記ネイルチップの爪根部が基端方向に嵌入される爪根嵌入部と、前記爪床部における前記ネイルチップの前記凸部に対向する位置にて前記模擬指の厚み方向に窪むと共にアンダーカット形状を有する凹部と、が形成されている。
【００１７】
本発明に係るネイルチップは、人の手の指を模した模擬指を有し、前記模擬指の先端部に、ネイルチップが装着される爪床部と、前記爪床部に形成されて前記模擬指の厚み方向に窪むと共にアンダーカット形状を有する凹部と、が設けられた模擬ハンドにおける、前記爪床部に装着される人の手の爪を模したネイルチップであって、前記模擬指の前記爪床部と対向する裏面において、前記爪床部への装着時に前記凹部と対向する位置に、前記凹部側へ突出して前記凹部と整合する形状を有する凸部が設けられている。
【００１８】
また、上記ネイルチップにおいて、基端部分の表面に、ゴム系材料を含む第１層と、樹脂製シートから成る第２層と、ゴム系材料を含む第３層とがこの順で積層された模擬ルースキューティクルが設けられていてもよい。
【００１９】
このような構成により、ネイルチップの基端部分である爪根部に、模擬的なルースキューティクルを再現することができる。従って、この模擬ルースキューティクルに対し、プッシャーでの押上げや、ニッパーによる切除といった、ネイルケアで行う施術を行うことができる。
【００２０】
本発明に係るネイルケアの実技方法は、上述した何れかのネイル実技用模擬セットを使用した、ネイルケアの実技方法であって、前記ネイルチップの表面の基端部分に、液状の樹脂を塗布するか、あるいは、樹脂製シートを貼付して、模擬的なルースキューティクルを再現する工程と、前記ネイルチップの爪根部を前記爪根嵌入部に嵌入した後、前記ネイルチップの前記凸部と前記爪床部の前記凹部とを係合させて、前記ネイルチップを前記爪床部に装着する工程と、前記模擬指の前記爪床部に装着された前記ネイルチップに対し、該ネイルチップ上の模擬的なルースキューティクルを除去する工程と、を含む。
【００２１】
このような構成により、上記のネイル実技用模擬セットを使用して、ネイリスト検定の実技試験を行うことができ、あるいは、その練習をすることができる。従って、施術者についてはモデル探しやモデルの費用などの負担から解放することができ、モデルについても長時間の拘束や爪への負担などから解放することができる。
【００２２】
また、上記ネイルケアの実技方法は、前記模擬的なルースキューティクルを再現する工程は、前記ネイルチップの表面の基端部分に液状の樹脂を塗布し、乾燥させることによって第１層を形成する工程と、前記第１層の上に、前記ネイルチップの基端部分に対応する輪郭形状を有する樹脂製シートを貼付して第２層を形成する工程と、前記第２層の上に液状の樹脂を塗布し、乾燥させることによって第３層を形成する工程と、を含んでいてもよい。
【発明の効果】
【００２３】
本発明によれば、ネイルケアの施術中にはネイルチップが剥がれにくく、かつ、施術後にはネイルチップを剥がしやすい、ネイル実技用模擬セット、模擬ハンド、及びネイルチップと、このセットを用いたネイルケアの実技方法を提供することができる。
【図面の簡単な説明】
【００２４】
【図１】実施の形態に係るネイル実技用模擬セットを示す模式的斜視図である。
【図２】模擬ハンドが有する模擬指とネイルチップを示す模式的斜視図である。
【図３】模擬指及びネイルチップの構成を示す図面であり、（ａ）は縦断面図、（ｂ）は横断面である。
【図４】模擬指にネイルチップが装着されている状態を示す図面であり、（ａ）は縦断面図、（ｂ）は横断面図である。
【図５】ネイルケアの実技方法を説明するフローチャートである。
【図６】模擬ルースキューティクルを再現する手順を示す模式図付きのフローチャートである。
【発明を実施するための形態】
【００２５】
（実施の形態）
本発明の実施の形態について、以下、図面を参照しつつ説明する。
【００２６】
［ネイル実技用模擬セットの構成］
図１は、本発明の実施の形態に係るネイル実技用模擬セットを示す模式的斜視図である。図示するように、ネイル実技用模擬セット１（以下、省略して「模擬セット１」と称する）は、人の手を模した模擬ハンド１０と、ネイルチップ３０とを備えている。本実施の形態に係る模擬ハンド１０は、人の手の形状を忠実に模しており、手首に対応する部分（模擬手首）１１の先に、手の甲に対応する部分（模擬甲）１２が設けられ、さらにこの模擬甲１２から延びる五指に対応する部分（５本の模擬指）１３を有している。
【００２７】
なお、模擬手首１１及び模擬甲１２は、必ずしも実物の外観を忠実に模すことを要しない。一方、模擬指１３は実際の人の指を比較的忠実に模していることが好ましい。従って、模擬ハンド１０が有する５本の模擬指１３は、実際の人の親指、人差し指、中指、薬指、及び小指のそれぞれに対応した外観形状及び寸法となっている。ただし、模擬セット１をネイルケアの練習としてのみ使用するのであれば、模擬セット１は５本の模擬指１３を有する必要はなく、少なくとも１本の模擬指１３を有する構成としてもよい。
【００２８】
各模擬指１３の指先部分１３ａには爪床部１４が形成され、この爪床部１４には、ネイルチップ３０を装着可能になっている。なお、以下では模擬指１３の長手方向のうち指先へ向かう方向を「先端側」とし、その反対方向を「基端側」とする。また、模擬指１３の指先部分１３ａにおいて、爪床部１４が設けられている側を「上側」とし、その反対方向を「下側」とする。更に、上述した長手方向及び上下方向の何れにも直交する方向を「幅方向」とし、先端側から見たときを基準として「右側」と「左側」とを規定する。
【００２９】
図２は、模擬ハンド１０が有する模擬指１３とネイルチップ３０を示す模式的斜視図である。また、図３は、模擬指１３及びネイルチップ３０の構成を示す図面であり、（ａ）は幅方向に対して直交する平面で切断したときの縦断面図、（ｂ）は長手方向に対して直交する平面で切断したときの横断面図である。
【００３０】
図２に示すように、ネイルチップ３０は、模擬指１３の爪床部１４よりも長手方向の寸法が大きく形成されている。このネイルチップ３０は、基端部の爪根部３１と、長手方向の中央部分の爪甲部３２と、先端部の爪先部３３とを有し、これらが一体的になって１枚のプレート状のチップを構成している。
【００３１】
模擬指１３の指先部分１３ａの上部には、周囲よりも少し下方へ窪んだ部分が形成されており、その底面部分が爪床部１４を成している。爪床部１４は、ネイルチップ３０のうち、主に爪根部３１及び爪甲部３２の下面を支持する。
【００３２】
図３（ｂ）の横断面図に示すように、爪床部１４は、模擬指１３の指先部分１３ａの全幅寸法Ｌ１よりも小さい寸法Ｌ２を有している。また、爪床部１４の表面は、幅方向の中央部分が左右部分よりも上方に位置するように上へ凸となる曲面形状となっており、爪床部１４の横断面の輪郭は上に凸の円弧状となっている。一方、図３（ａ）の縦断面図に示すように、爪床部１４は長手方向にも緩やかに上へ凸となる曲面形状となっており、爪床部１４の縦断面の輪郭は上に凸の円弧状（横断面の輪郭よりも曲率が小さい円弧状）となっている。
【００３３】
従って、ネイルチップ３０も爪床部１４とほぼ整合する曲面形状を有している。すなわち、ネイルチップ３０は、その横断面の輪郭が上に凸の円弧状を成し、かつ、縦断面の輪郭は上に凸であって横断面の輪郭よりも曲率の小さい円弧状を成している。これにより、爪床部１４とネイルチップ３０の裏面とはほぼ整合する。
【００３４】
爪床部１４の左右の外側には、爪床部１４よりも盛り上がって厚肉に形成された側爪郭部１５が、長手方向に沿って形成されている。また、爪床部１４と側爪郭部１５との間には、ネイルチップ３０の爪甲部３２の側端を支持する爪溝部１６が、長手方向に沿って形成されている。
【００３５】
爪床部１４の基端部には、ネイルチップ３０の爪根部３１が基端方向に嵌入される爪根嵌入部１７が形成されている。より詳細には、爪床部１４の基端部の上方には、後爪郭部１８が先端側へ突出するようにして設けられている。従って、爪床部１４の基端部と後爪郭部１８との間には、先端側へ開口すると共に基端側へ窪んだ溝が形成され、この溝が爪根嵌入部１７を成している。このような溝状の爪根嵌入部１７は、爪床部１４の基端部の幅方向のほぼ全域にわたって形成されている。
【００３６】
爪床部１４の幅方向の中央部分には、模擬指１３の厚み方向の下方へ窪んだ凹部２０が形成されている。凹部２０は、模擬指１３の長手方向に沿って延びるように、幅方向寸法よりも長手方向寸法の方が大きく形成されている。また、この凹部２０の横断面はアンダーカット形状を成している。
【００３７】
具体的に説明すると、図３（ｂ）の一部拡大図Ａに示すように、凹部２０は、その上部開口２１の幅寸法Ｌ３よりも底面２２の幅寸法Ｌ４の方が大きく、深さ寸法はＬ５となっている。そして、おおむね上底より下底が長い等脚台形状を成しており、左右の側壁２３，２４は互いの上端部が下端部よりも近接するような傾斜面となっている。なお、凹部２０をこのようなアンダーカット形状とするために、スライドコアを用いて製造してもよいが、模擬指１３（あるいは、少なくとも指先部分１３ａ）を適度に可撓性のある樹脂製とすれば、スライドコアを用いない金型で、いわゆる「無理抜き」によっても成形することができる。
【００３８】
本実施の形態に係る模擬セット１では、模擬指１３の指先部分１３ａを可撓性のある樹脂製（例えば、ウレタンゴムまたはシリコン）としており、凹部２０の上部開口２１は、適度な力が作用することにより少なくとも左右方向の所定寸法内で拡縮可能になっている。これに対してネイルチップ３０は、ネイルケアの施術時のファイリング等の用に供するため、凸部４０を含む全体が硬質樹脂によって一体成型されている。
【００３９】
一方、凹部２０の縦断面は、図３（ａ）に示すように、ほぼ長方形状を成している。つまり、凹部２０の底面２２は長手方向には直線状を成しており、この底面２２の先端からは底面２２に対してほぼ垂直に上方へ先端壁２５が延び、底面２２の基端からも底面２２に対してほぼ垂直に上方へ基端壁２６が延びている。
【００４０】
ネイルチップ３０には、上述した凹部２０と係合する凸部４０が形成されている。より具体的に説明する。ネイルチップ３０は、爪床部１４に装着されると、爪甲部３２の裏面（下面）３２ａが爪床部１４と対向する。この爪甲部３２の裏面３２ａにおいて、爪床部１４の凹部２０と対向する部分に、下方（凹部２０側）へ突出する凸部４０が形成されている。
【００４１】
図３（ｂ）の一部拡大図Ｂに示すように、凸部４０は、凹部２０と整合する形状を有している。つまり、凸部４０は模擬指１３の長手方向に長寸を成し、かつ、横断面は等脚台形状を成している。すなわち、凸部４０は、裏面３２ａに接続される上端部分４１の幅寸法Ｌ６が下端部分４２の幅寸法Ｌ７の方が大きく、左右に傾斜面を成す側壁４３，４４を有し、高さ寸法はＬ８となっている。
【００４２】
凹部２０と凸部４０の対応する各部の寸法の相対関係は次のようになっている。すなわち、凸部４０の上端部分４１の幅寸法Ｌ６は、凹部２０の上部開口２１の幅寸法Ｌ３より若干小さい（Ｌ６＜Ｌ３）。凸部４０の下端部分４２の幅寸法Ｌ７は、凹部２０の底面２２の幅寸法Ｌ４より若干小さく、かつ、上部開口２１の幅寸法Ｌ３より若干大きい（Ｌ３＜Ｌ７＜Ｌ４）。また、凸部４０の高さ寸法Ｌ８は、凹部２０の深さ寸法Ｌ５より若干小さい（Ｌ８＜Ｌ５）。また、凹部２０の側壁２３，２４と、装着時にこれと対向する凸部４０の側壁４３，４４とは、互いに傾斜角度がほぼ一致している。
【００４３】
図４は、ネイルチップ３０を模擬指１３に装着した状態を示す図面であり、（ａ）は縦断面図を示し、（ｂ）は横断面図を示している。これらに図示するように、上述したようなネイルチップ３０は、模擬指１３の爪床部１４に装着すると、爪根部３１が爪根嵌入部１７に嵌入し、凸部４０が凹部２０に嵌入する。このように装着されたネイルチップ３０には、ネイルケアの実技において様々の負荷が作用する。
【００４４】
例えば、ファイリングなどの際に、ネイルチップ３０は、基端側へ押されたり、上方や側方へ押されたりもする。これに対し、上述した模擬セット１は、ネイルチップ３０に作用する基端側への圧力を、爪根部３１を支持する爪根嵌入部１７によって受け止める。また、ネイルチップ３０に作用する上方への圧力は、アンダーカット状の凹部２０とこれに整合する形状の凸部４０とによって受け止める。更に、ネイルチップ３０に作用する側方への圧力は、凹部２０の側壁２３，２４と凸部４０の側壁４３，４４とが当接することによって受け止める。
【００４５】
従って、本実施の形態に係る模擬セット１は、ネイルケアの実技中にネイルチップ３０に作用する様々の負荷に対し、安定的にネイルチップ３０を爪床部１４に保持することができる。一方、上述したように模擬セット１は、凹部２０の上部開口２１が拡縮可能であるため、施術者が爪根部３１を基点にして爪先部３３を上方へ所定の力で継続的に押し上げることにより、ネイルチップ３０を爪床部１４から外すことが可能である。
【００４６】
なお、上述した模擬セット１の構成は一例であり、これに限定されない。例えば、模擬指１３に形成する凹部２０のアンダーカット形状は、上記のような等脚台形状に限らず、矩形の上部空間とこれより幅広の矩形の下部空間とから成る内部空間を形成するものであってもよい。また、凹部２０及び凸部４０は長手方向に長寸のものに限定されず、上方から見て円形状や正多角形状などであってもよい。
【００４７】
［ネイルケアの実技方法］
図５は、ネイルケアの実技方法を説明するフローチャートである。ここでは、上述した模擬セット１を使用した場合の、施術者によるネイルケアの実技方法を説明する。
【００４８】
はじめに、ネイルケア用に模擬ハンド１０のセッティングを行う。具体的には、ネイルチップ３０の爪根部３１の表面に模擬的なルースキューティクルを形成する（ステップＳ１）。このルースキューティクルの形成にあっては、ルースキューティクル剤として例えば、ラテックスを主たる原料とする液状の樹脂を塗布してもよいし、あるいは、薄膜状の樹脂製シートを貼付して実現してもよい。更に、ルースキューティクルの上にも樹脂製シートを貼付するなどして、模擬的なキューティクル（甘皮）を形成してもよい。つまり、ネイルチップ３０の爪根部３１付近の表面に、キューティクル（下層）とルースキューティクル（上層）とから成る２層の膜を形成してもよい。
【００４９】
次に、本実施の形態に係る模擬ハンド１０に上記ネイルチップ３０を装着する（ステップＳ２）。この装着の工程では、上述したように、ネイルチップ３０の爪根部３１を模擬指１３の爪根嵌入部１７に嵌入し、凸部４０を凹部２０に嵌入させる。これにより、ネイルチップ３０を安定的に模擬指１３に装着できる。なお、より強固に装着するために、模擬指１３の爪床部１４あるいはネイルチップ１３の裏面にグルー（接着剤）を塗布してから装着してもよい。
【００５０】
なお、ルースキューティクル及びキューティクルの形成は、上述したようにネイルチップ３０を模擬指１３に装着する前に行ってもよいし、ネイルチップ３０を模擬指１３に装着した後に行ってもよい。ただし、装着前に行えば、模擬ハンド１０の後爪郭部１８の下方にも、ルースキューティクル及びキューティクルを形成できる。
【００５１】
このようなステップＳ１，Ｓ２によるセッティングを終えると、テーブルセッティングを行う（ステップＳ３）。デーブルセッティングは、ネイリスト検定試験において規定されており、例えば、消毒剤、コットン、液体ソープ、キューティクルリムーバー等をトレイ内に並べたもの、フィンガーボール、水を入れた容器、お湯を入れた水筒、ネイルブラシ、アームレスト、ペーパータオル、布タオルなどを、テーブル上に規定の並べ方でセットする。
【００５２】
セッティングされたテーブルに、アーム（図示せず）の基端部を固定し、アームの先端部には上述した模擬ハンド１０（ネイルチップ３０装着済）を装着する（ステップＳ４）。なお、このアームは人の腕を代替するものであり、施術者の操作によって模擬ハンド１０の位置や姿勢を変更でき、かつ、変更後の位置及び姿勢を維持できるものが好ましいが、そのようなもののみに限定されない。
【００５３】
次に、ネイルチップ３０に対する施術を行う。はじめに、施術者はエメリーボード（爪やすり）を手に持ち、模擬ハンド１０に装着されているネイルチップ３０をファイリングする（ステップＳ５）。ファイリングによって削った後の仕上がり形状やエメリーボードの動かし方は、ネイリスト検定試験の規定に従う。そして、ファイリングした後は、例えばスポンジネイルファイルを用いて、ネイルチップ３０の先端のバリや、鋭利になっている部分を削って滑らかな表面に整える（ステップＳ６）。
【００５４】
ネイルチップ３０の形状を整えると、次に、ケア用水を入れた容器とお湯を入れたフィンガーボールとを用意し、フィンガーボール内のお湯に模擬ハンド１０の指先を浸す（ステップＳ７）。これは、実際の人をモデルとしてネイルケアを行う場合の、指先の角質を柔らかくするための施術に対応する工程である。
【００５５】
模擬ハンド１０の指先をお湯に浸して一定時間を経ると、指先をお湯から出し、タオルで水分を除去する。そして、キューティクルリムーバーを模擬ハンド１０のキューティクル付近に少量塗布し、先端をケア用水で濡らしたプッシャーを用いてキューティクル及びルースキューティクルを基端側へ押し上げる（ステップＳ８）。これを全ての模擬指１３について行う。
【００５６】
次に、ガーゼ及びキューティクルニッパーを同じ手に持ち、プッシャーで押し上げたルースキューティクルをガーゼで優しく拭き取り、これで拭き取れなかったルースキューティクルをキューティクルニッパーで除去する（ステップＳ９）。このようなガーゼ処理及びキューティクルニッパー処理を全ての模擬指１３について行う。そして、全ての模擬指１３について見直しを行い（ステップＳ１０）、適宜手直しをした上でネイルケアの実技を終了する。
【００５７】
このように、本実施の形態に係る模擬セット１を用いればネイルケアの練習を行うことができる。例えば、ネイリストの養成学校などで、生徒への教授のため、あるいは、生徒の実技練習のために、上述したネイルケアの実技方法を実施することができる。更には、ネイリスト検定の実技試験においても、実際の人（モデル）に替えて、模擬セット１を用いて上述したネイルケアの実技方法を実施することができる。
【００５８】
なお、図５に示した実技方法は一例であり、例えばネイリスト検定の実技試験で規定されている手順に従って、適宜工程を追加したり省略したりしてもよい。例えば、実技試験にポリッシュオフの作業が含まれる場合には、模擬ハンド１０のセッティングの際に、ネイルチップ３０の表面（キューティクルやルースキューティクルで覆われた部分を除く）にカラーポリッシュ（例えば、赤色のマニキュア）を塗布しておけばよい。そして、ファイリングの工程前に、ポリッシュオフの工程を行えばよい。
【００５９】
［ルースキューティクルの再現手順］
図５のステップＳ１に示したルースキューティクル（及び、キューティクル）の再現手順について、以下にその好ましい一例をより具体的に説明する。図６は、ルースキューティクルの再現手順を説明するための模式図付きのフローチャートである。
【００６０】
図６に示すように、はじめに、素材としてネイルチップ３０と塗布剤５０と樹脂製シート５１とを用意する（ステップＳ１１）。このうち塗布剤５０としては典型的にはラテックスを好適に用いることができる。ラテックスは、天然ゴムラテックス又は合成ゴムラテックスであってもよく、特に限定されない。ただし、ネイルチップ３０の表面に刷毛で塗布でき、その後、所定時間乾燥させた塗布面にある程度の粘着性を有するものが好ましい。
【００６１】
樹脂製シート５１（以下、単に「シート５１」と称する）の素材としては、例えば、ポリエチレン、ポリプロピレン、ポリエチレンテレフタラート、ポリエチレンナフタレート、塩化ビニル樹脂、ポリスチレン等を適宜採用することができるが、特に限定されない。また、シート５１の厚み寸法も特に限定されないが、例えば０．００５ｍｍ以上かつ０．０１ｍｍ以下で、所定の可撓性を有するものが好ましい。
【００６２】
本実施の形態で用いるシート５１は、図６に示すように所定の形状を有している。具体的に説明すると、シート５１はおおむね矩形状（例えば、正方形状）を成し、かつ、１つの切り欠き部５２と複数のスリット５３とを有している。切り欠き部５２は、矩形状のシート５１が有する４つの辺のうちの１辺にて開口し、その最奥部分５２ａはシート５１のほぼ中央に位置すると共に円弧状に湾曲した輪郭になっている。つまり、最奥部分５２ａは、ネイルチップ３０の基端部分（爪根部３１）に対応する輪郭形状となっている。
【００６３】
スリット５３は、図６のシート５１においては計４本設けられている。そのうち２本のスリット５３ａは、切り欠き部５２が開口する１辺とは反対側の１辺の両端近傍から、シート５１の中央へ向かうように延設されている。他の２本のスリット５３ｂは、切り欠き部５２の最奥部分５２ａにて左右に離れて形成され、上記２本のスリット５３ａとほぼ平行に延設されている。
【００６４】
なお、上述したスリット５３のうちシート５１の外側部分に形成されたスリット５３ａは、シート５１をネイルチップ３０に貼付する際の作業性向上のために設けられている。これに対し、シート５１の内側部分に形成されたスリット５３ｂは、ネイルケアを行うときに、プッシャーによってルースキューティクルを押し上げる作業（図５のステップ８参照）を、よりリアルに再現できるようにするために設けられている。従って、スリット５３の本数、長さ、形成箇所などは、図６に示した態様に限定されず、上記の目的に応じて適宜変更可能である。
【００６５】
次に、ステップＳ１１の素材の用意が整うと、ネイルチップ３０において少なくとも爪根部３１を含む基端部分に、上述した塗布剤５０を塗布する。本実施の形態では、刷毛を用いて塗布する。そして、所定時間だけ乾燥させる。これにより、ネイルチップ３０上に第１層６１を形成する（ステップＳ１２）。この第１層６１は、実際の人の爪におけるキューティクルに相当する。なお、塗布後所定時間を経た第１層６１の表面は、所定の粘性を有している。また、第１層６１は、０．０１ｍｍ以上かつ０．０５ｍｍ以下の厚み寸法であることが好ましい。従って、塗布剤５０としては、作業性も考慮すると、重ね塗りをせずにほぼ１回の塗布によって上記厚み寸法の第１層６１を実現できるものが好ましい。
【００６６】
次に、表面に所定の粘性を有する第１層６１の上に、シート５１を貼付する。具体的には、シート５１の切り欠き部５２の開口をネイルチップ３０の爪先方向に向け、かつ、切り欠き部５２の最奥部分５２ａを爪根部３１の内方に位置させた状態で、第１層６１の上に貼付する。このようにして、第１層６１の上に、シート５１から成る第２層６２を形成する（ステップＳ１３）。この第２層６２は、実際の人の爪におけるルースキューティクルに相当する。なお、このときシート５１のうちネイルチップ３０の両側方及び基端方向に対応する３辺部分は、何れもネイルチップ３０から外側にはみ出している。そこで、シート５１のうちこれらのはみ出した部分は、ネイルチップ３０の裏面側に折り返しておく。
【００６７】
次に、第２層６２の上に、より具体的には第２層６２を挟むようにして第１層６１とほぼ同じ領域に、再び塗布剤５０を塗布し、乾燥させる。これにより第３層６３を形成する（ステップＳ１４）。なお、この第３層６３も刷毛を用いて塗布し、０．０１ｍｍ以上かつ０．０５ｍｍ以下の厚み寸法であることが好ましい。
【００６８】
以上のステップＳ１１〜Ｓ１４の手順により、ネイルチップ３０上に模擬ルースキューティクル６０を再現することができる（ステップＳ１５）。つまり、この模擬ルースキューティクル６０は、ゴム系材料を含む第１層６１と、樹脂製シート５１から成る第２層６２と、ゴム系材料を含む第３層６３とがこの順で積層されている。なお、再現された模擬ルースキューティクル６０は、およそ０．０２５ｍｍ以上かつ０．１１ｍｍ以下の厚み寸法であることが好ましい。
【００６９】
このような模擬ルースキューティクル６０は、図５のステップＳ８の施術において、プッシャーにより、第１層６１，第２層６２，第３層６３をまとめてプッシュアップすることができ、かつ、ステップＳ９の施術において、第２層６２を成すシート５１をニッパーで切断して除去することができる。つまり、本実施の形態に係る模擬セット１を用いれば、ネイルケアで行われる施術をリアルに再現することができる。
【００７０】
なお、上記では模擬ルースキューティクル６０として３層構造のものを説明したが、これに限られない。より簡易的にルースキューティクルを再現する場合には、第１層６１のみをネイルチップ３０上に形成してもよい。あるいは、適宜４層以上の構造を採用してもよい。また、上記では第１層６１と第３層６３とで同じ塗布剤５０を用いたが、それぞれ別の塗布剤を用いてもよい。
【産業上の利用可能性】
【００７１】
本発明は、ネイル実技用模擬セット、模擬ハンド、ネイルチップ、及び、ネイルケアの実技方法に適用することができる。
【符号の説明】
【００７２】
１          模擬セット
１０        模擬ハンド
１３        模擬指
１３ａ      指先部分（先端部）
１４        爪床部
１７        爪根嵌入部
２０        凹部
３０        ネイルチップ
３１        爪根部
４０        凸部
５０        塗布剤
５１        樹脂製シート
６０        模擬ルースキューティクル
６１        第１層
６２        第２層
６３        第３層
【図１】
2019216938.tif 000003
【図２】
2019216938.tif 000004
【図３】
2019216938.tif 000005
【図４】
2019216938.tif 000006
【図５】
2019216938.tif 000007
【図６】
2019216938.tif 000008